(57)【特許請求の範囲】
【請求項１】
エンジンおよびモータ・ジェネレータを備えた車両において、車両減速時に前記エンジンへの燃料供給を停止し、同エンジンのスロットル弁の開度を大きくして前記モータ・ジェネレータに回生動作を行わせる車両の制御装置において、
回生動作終了直前の前記エンジンの回転数と、回生動作終了直前の前記エンジンのスロットル弁の開度とに基づいて、力行移行直後に発生する一時的に過大なエンジントルクの大きさに釣り合う回生トルクを推定する推定手段と、
前記力行移行後、所定時間経過時に前記推定手段が推定した回生トルクを前記モータ・ジェネレータに発生させる回生制御手段と、
を備えることを特徴とする車両の制御装置。
【発明の詳細な説明】
【技術分野】
【０００１】
本発明は、エンジンおよびモータ・ジェネレータを搭載した車両の制御装置に関する。特に、回生動作から力行動作に移行した直後に発生する車両のショックを抑制するための技術に関する。
【背景技術】
【０００２】
近年、走行用駆動源としてエンジンおよびモータ・ジェネレータを備えることで、燃費の向上を図ったハイブリッド車両が普及している。このようなハイブリッド車両の制御装置の一例が特許文献１に開示されている。同文献に開示されたハイブリッド車両の制御装置は、エンジンの始動直後のギヤを切り替える瞬間のショックを低減するために、モータ・ジェネレータの慣性トルクを補正して、上記ギヤを切り替える瞬間にアシスト入力軸回転数の変化を抑制し、ショックを低減するようにしている。
【先行技術文献】
【特許文献】
【０００３】
【特許文献１】特許第４３２６９２５号公報
【発明の概要】
【発明が解決しようとする課題】
【０００４】
ところで、一般にハイブリッド車両がアクセルオフの状態で減速するとき、エンジンおよびモータ・ジェネレータは車輪側から駆動される被駆動の状態となるが、このとき、モータ・ジェネレータを発電機として機能させることで、バッテリーを充電する回生動作が行われる。回生効率を高めるためには、エンジンブレーキの作用をできるだけ小さくすることが望ましい。そのためには、回生時にエンジンへの燃料供給を停止するとともに、スロットル弁の開度をできるだけ大きくすることが望ましい。
【０００５】
図５は、このような回生動作を実行させた場合における、アクセルのＯＮ／ＯＦＦ状態、モータ回生のＯＮ／ＯＦＦ状態、スロットル弁の開度、エンジントルク、車両の加速度などの一例を示したタイムチャートである。このタイムチャートでは、時間ｔ０でアクセルＯＮからアクセルＯＦＦとされ、力行状態（モータ回生ＯＦＦ）から回生状態（モータ回生ＯＮ）に移行している。この回生状態では、エンジンおよびモータ・ジェネレータが被駆動の状態となって、車両が減速している（車両の加速度がマイナスになっている）が、この間、モータ・ジェネレータによる回生効率を高めるために、スロットル弁の開度が大きくされ、エンジントルクの大きさ（エンジンブレーキの作用）が小さくなるように制御される。
【０００６】
時間ｔ１では、アクセルＯＦＦからアクセルＯＮとされ、回生状態（モータ回生ＯＮ）から力行状態（モータ回生ＯＦＦ）へ移行している。力行状態へ移行すると同時に、一旦スロットル弁の開度が全閉近くまで閉じられた後、アクセル踏み込み量に応じたスロットル制御が行われる。このことから、力行移行直後の時間ｔ２において一時的に過剰なエンジントルクが発生してしまい、これが車両にショックを与え、乗員に不快感を与えるおそれがあった。
【０００７】
特許文献１に開示されているハイブリッド車両の制御装置は、エンジンの始動直後のギヤを切り替える瞬間のショックを低減するために、モータ・ジェネレータの慣性トルクを補正するものの、回生動作中にスロットル弁を全開にし、その後力行に移行した直後の急激なエンジントルクの上昇に着目したものではない。また、同文献のハイブリッド車両の制御装置は、エンジンの回転速度とモータ・ジェネレータの回転速度との差に応じてモータ・ジェネレータのトルクを補正することにより、エンジンの始動直後のギヤを切り替える瞬間のショックを低減するものであるが、ショックの大きさを予め予測するものではないため、ショック抑制のタイミングが遅くなる場合がある。
【０００８】
本発明は、かかる問題に鑑みてなされたものであり、車両減速時にエンジンへの燃料供給の停止およびスロットル弁の開動作を行うことでモータ・ジェネレータを回生動作させる車両において、回生から力行に移行した直後に発生するエンジンの一時的な過大トルクにより車両に生じるショックを抑制することを可能とした車両の制御装置を提供することを目的とする。
【課題を解決するための手段】
【０００９】
上記目的を達成するために、本発明の車両の制御装置は、エンジンおよびモータ・ジェネレータを備えた車両において、車両減速時に前記エンジンへの燃料供給を停止し、同エンジンのスロットル弁の開度を大きくして前記モータ・ジェネレータに回生動作を行わせるものを前提としており、回生動作終了直前の前記エンジンの回転数と、回生動作終了直前の前記エンジンのスロットル弁の開度とに基づいて、力行移行直後に発生する一時的に過大なエンジントルクの大きさに釣り合う回生トルクを推定する推定手段と、前記力行移行後、所定時間経過時に前記推定手段が推定した回生トルクを前記モータ・ジェネレータに発生させる回生制御手段と、を備えることを特徴としている。
【００１０】
かかる構成を備える車両の制御装置によれば、力行移行直後に発生する一時的に過大なエンジントルクの大きさに釣り合う回生トルクが推定され、力行移行後、所定時間経過時にその回生トルクをモータ・ジェネレータが発生するので、力行に移行直後に発生する上記過大なエンジントルクと上記回生トルクとが打ち消し合い、これにより、車両に発生していたショックが抑制されるようになる。
【発明の効果】
【００１１】
本発明によれば、車両減速時にエンジンへの燃料供給の停止およびスロットル弁の開動作を行うことでモータ・ジェネレータを回生動作させる車両において、力行移行直後に発生するエンジンの一時的に過大トルクに起因して車両に発生するショックが解消ないし抑制される。また、エンジンの一時的に過大なトルクが発生する前に回生トルクを推定するため、タイムラグなく、車両に発生するショックを解消ないし抑制することができる。
【図面の簡単な説明】
【００１２】
【図１】本発明の実施形態に係る車両の制御装置を適用したハイブリッド車両におけるシステム構成を示す図である。
【図２】本発明の実施形態に係る車両の制御装置において、回生状態から力行状態に移行する場合における各種の数値の変化を示したタイムチャートである。
【図３】本発明の実施形態に係る車両の制御装置が実行する処理動作の具体的な手順例を示したフローチャートである。
【図４】回生動作終了直前のエンジン回転数Ｎｅ１と、回生動作終了直前の電子制御スロットル弁の開度θと、ショックを打ち消すのに必要な回生トルクＴｍとの関係を設定したマップの一例である。
【図５】従来例に係る車両の制御装置において、回生状態から力行状態に移行する場合における各種の数値の変化を示したタイムチャートである。
【発明を実施するための形態】
【００１３】
以下、本発明の実施の形態に係る車両の制御装置について説明する。本実施形態では、ハイブリッド車両の制御装置を例に挙げて説明する。
【００１４】
図１に示すように、本実施形態におけるハイブリッド車両１００は、走行用駆動源として、エンジン１およびモータ・ジェネレータ２を備えている。エンジン１の駆動力は、クラッチ３、変速機４、駆動軸５等を介して駆動輪６に伝達される。モータ・ジェネレータ２の駆動力は、減速機等からなる動力伝達機構７、駆動軸５等を介して駆動輪６に伝達される。エンジン１の運転は、中央制御装置８によって制御され、モータ・ジェネレータ２の力行および回生動作は、モータ制御装置９により制御される。１０は、モータ・ジェネレータ２の電源としてのモータ用バッテリーである。
【００１５】
エンジン１は、例えばガソリンエンジンやディーゼルエンジンなどであり、その吸気系に電子制御スロットル弁１１を備えている。
【００１６】
モータ・ジェネレータ２は、走行用駆動源として機能するとともに、エンジン１、駆動輪６などに駆動される回生状態で発電機としても機能する。
【００１７】
モータ制御装置９は、車両の走行に必要な駆動力をモータ・ジェネレータ２が出力するように、モータ・ジェネレータ２に供給する電力を制御する。また、モータ制御装置９は、車両が減速走行をしているときに、回生動作を行うモータ・ジェネレータ２から出力される電力によりモータバッテリー１０を充電する。このようなモータ制御装置９は、例えばインバータあるいはＤＣ−ＤＣコンバータを備えるものである。
【００１８】
中央制御装置８は、中央演算装置、メモリ、入出力インタフェース等からなるマイクロコンピュータを主体に構成されている。この中央制御装置８の入力インタフェースには、アクセル操作量検出センサ２１から出力されるアクセル操作量情報ａ、エンジン回転数センサ２２から出力されるエンジン回転数情報ｂ、スロットル開度センサ１６から出力される、電子制御スロットル弁１１のスロットル開度情報ｃ、モータ用バッテリー１０の充電量Ｅを検出する充電量検出センサ１７から出力される充電量情報ｅなどが入力される。一方、中央制御装置８の出力インタフェースからは、電子制御スロットル１１に対する弁開度指令情報ｇが、変速機４に対する減速比指令情報ｈが、モータ制御装置９に対する指令情報ｉが出力される。
【００１９】
図２は、上記ハイブリッド車１００において、回生状態から力行状態に移行する際における、アクセルのＯＮ／ＯＦＦ状態、モータ回生（回生動作）のＯＮ／ＯＦＦ状態、電子制御スロットル弁１１の弁開度、エンジントルク、車両の加速度などを示したタイムチャートである。このタイムチャートでは、時間ｔ０でアクセルＯＮからアクセルＯＦＦとされており、これを検出した中央制御装置８は、力行状態（モータ回生ＯＦＦ）から回生状態（モータ回生ＯＮ）に移行させるべく、モータ制御装置７に回生指令ｉを送信する。さらに、中央制御装置８は、エンジン１への燃料供給を停止するとともに、回生動作（エネルギー回収）の効率を上げるべく、電子制御スロットル弁１１に弁開度指令情報ｇを送信して、弁開度を非回生時よりも大きくさせる（例えば全開にする）。
【００２０】
その後、時間ｔ１において、アクセルＯＦＦからアクセルＯＮとされると、中央制御装置８は、回生から力行移行直後に発生する一時的に過大なエンジントルクの大きさに釣り合う回生トルクＴｍを推定する。
【００２１】
ここで、回生トルクＴｍの推定は、回生動作終了直前のエンジン回転数Ｎｅ１と、回生動作終了直前の電子制御スロットル弁１１の開度θと、エンジン回転数Ｎｅ１、弁開度θおよび上記回生トルクＴｍの対応関係を設定した図４に示すようなマップとに基づいて行われる。同図に示すマップは、横軸が回生動作終了直前のエンジン回転数Ｎｅ１を示し、縦軸が推定される回生トルクＴｍを示しており、回生動作終了直前の電子制御スロットル弁１１の各開度θ１〜θ３ごとに、エンジン回転数Ｎｅ１と上記回生トルクとの関係を表している。すなわち、中央制御装置８は、回生動作終了直前のエンジン回転数Ｎｅ１と、回生動作終了直前の電子制御スロットル弁１１の開度θと、をマップに当てはめて得られる値を推定される上記回生トルクＴｍとして読み出す。
【００２２】
なお、マップに設定される各種パラメータの関係は、シミュレーション、実験等により求めることができる。また、上記マップでは、回生動作終了直前の電子制御スロットル弁１１の開度θは３種類のみ示しているが、開度θの種類は３種類より多くても少なくてもよい。また、上記マップでは、各弁開度θ１〜θ３について、エンジン回転数Ｎｅ１と回生トルクＴｍとが線型の関係にあるが、実際に、シミュレーション、実験等により求められた場合の関係は、線型の関係になるとは限らない。ただし、回生動作終了直前のエンジン回転数Ｎｅ１が高くなるほど、前記回生トルクＴｍが大きくなり、回生動作終了直前の電子制御スロットル弁１１の開度θが大きくなるほど、前記回生トルクＴｍが大きくなることに変わりはない。
【００２３】
中央制御装置８は、力行移行後、所定時間Ｔの経過時（時間ｔ３）に推定した回生トルクＴｍをモータ・ジェネレータ２に所定短時間Ｔ１だけ発生させる。そうすると、時間ｔ２の前後において、発生するエンジンの一時的に過大なトルクと、発生させた上記回生トルクＴｍが駆動軸５より上流側で互いに打ち消し合う。その結果、エンジンの一時的に過大になるトルクに起因して車両に発生していたショックが解消ないし抑制されるようになる。なお、所定時間Ｔは、力行移行後エンジントルクが一時的に過大になるまでの時間とすることが望ましく、この所定時間Ｔは、経験値、実験、シミュレーション等から決定することができる。
【００２４】
以下、上記制御を実行する際の具体的な手順例について図３に示すフローチャートに基づいて説明する。
【００２５】
ステップＳＴ１において、中央制御装置８は、回生状態から力行状態に移行したか否かを判定する。ここで肯定判定した場合は、通常の力行状態における電子制御スロットル制御を開始し（ステップＳＴ２）、力行状態に移行した直後に、力行移行直後に発生する一時的に過大なエンジントルクの大きさに釣り合う回生トルクＴｍを推定する（ステップＳＴ３）。この回生トルクＴｍは、既述したように、回生動作終了直前のエンジン回転数Ｎｅ１と、回生動作終了直前の電子制御スロットル弁１１の開度θとから、既述のマップ（図４参照）を参照して求められる。
【００２６】
ステップＳＴ４において、中央制御装置８は、上記回生トルクの推定値Ｔｍが所定の閾値を超えるか否かを判定する。ここで、肯定判定した場合は、その後、一時的に過大なエンジントルクが発生するものとみなして、ステップＳＴ５へ移行する。一方、否定判定した場合には、その後、一時的に過大なエンジントルクは発生しないものとみなして、ステップＳＴ７へ移行する。
【００２７】
ステップＳＴ５において、中央制御装置８は、力行移行後所定時間Ｔが経過したか否かを判定する。ここで、肯定判定した場合、ステップＳＴ６に移行し、否定判定した場合はこの判定を繰り返す。
【００２８】
ステップＳＴ６において、中央制御装置８は、モータ制御装置９を介して、モータ・ジェネレータ２に対して、前記ＳＴ３で推定した回生トルクＴｍを所定短時間Ｔ１だけ発生させる。これにより、時間ｔ２の前後において一時的に過大なエンジントルクと所定短時間Ｔ１だけ発生させた回生トルクＴｍが駆動軸５より上流側（駆動力源側）で互いに打ち消し合い、車両に発生するショックが解消ないし抑制される。
【００２９】
ステップＳＴ７において、中央制御装置８は、モータ制御装置９を介して、通常のモータアシスト制御（力行制御）を実行する。
【００３０】
一方、ステップＳＴ１で否定判定した後、中央制御装置８は、電子制御スロットル弁１１を全開状態にし（ステップＳＴ８）、エンジン１への燃料供給を停止するとともに、モータ制御装置９に対して回生動作を行わせる（ステップＳＴ９）。既に、電子制御スロットル弁１１が全開状態にあり、エンジン１への燃料供給が停止され、回生動作が行われている場合は、これらの状態および動作が力行状態に移行するまで継続される。
【００３１】
以上の説明から明らかなように、本発明の実施形態に係るハイブリッド車両の制御装置によれば、回生から力行に移行直後に発生するエンジンの一時的に過大なトルクに釣り合う回生トルクＴｍを推定し、力行に移行後、所定時間Ｔが経過した時にその回生トルクＴｍをモータ・ジェネレータ２が発生するようになっている。これにより、力行移行直後に一時的に発生する過大なエンジントルクを回生トルクＴｍによって駆動輪よりも駆動源側で打ち消すことができ、車両に発生するショックが解消ないし抑制される。また、一時的に過大なエンジントルクが発生する前に上記回生トルクの推定値Ｔｍが求められるため、タイムラグなく、車両に発生するショックを解消ないし抑制することができる。
【産業上の利用可能性】
【００３２】
本発明は、例えば、エンジンおよびモータ・ジェネレータを搭載したハイブリッド車両の制御装置に適用可能である。
【符号の説明】
【００３３】
１    エンジン
２    モータ・ジェネレータ
８    中央制御装置
９    モータ制御装置
１１    電子制御スロットル弁
１６    スロットル開度センサ
２１    アクセル操作量検出センサ
２２    エンジン回転数センサ
１００    ハイブリッド車両（車両）
ｂ    エンジン回転数情報
ｃ    スロットル開度情報
ｇ    弁開度指令情報
ｉ    モータ制御装置に対する指令情報
【図１】
0005816957.tif 000002
【図２】
0005816957.tif 000003
【図３】
0005816957.tif 000004
【図４】
0005816957.tif 000005
【図５】
0005816957.tif 000006